(57)【要約】      （修正有）【課題】炭を繊維化したり、空調手段を設けたりすることなく、固形の炭または炭の粉砕物を利用することで炭の有する空気清浄効果などの様々な機能を発揮させることができ、しかも室内に載置しても違和感がなく、炭の粉砕物などで室内が汚れる心配のない炭充填袋体または炭収納体を提供する。【解決手段】固形の炭および／または炭充填袋体が収納されている炭収納部１と、前記炭収納部１の内部と外部との間を通気自在とする通気孔３とを備えていることを特徴とする構成とした。【選択図】      図１
2005035605.tif 000002
【特許請求の範囲】
【請求項１】
通気性を有する素材により形成された袋体の内部に炭の粉砕物が充填され、前記充填された炭の粉末物が袋体の外部へ零れださないように密封状態に封印されていることを特徴とする炭充填袋体。
【請求項２】
炭の粉砕物が、竹炭または備長炭の少なくともいずれか一方を含んでいる請求項１に記載の炭充填袋体。
【請求項３】
固形の炭および／または請求項１または請求項２に記載の炭充填袋体が収納されている炭収納部と、前記炭収納部の内部と外部との間を通気自在とする通気孔とを備えていることを特徴とする炭収納体。
【請求項４】
炭が、竹炭または備長炭の少なくともいずれか一方を含んでいる請求項３に記載の炭収納体。
【請求項５】
炭収納部内に、竹筒形状をした竹炭の芯部分を刳り貫いて形成した空間に固形の炭および／または請求項１または請求項２に記載の炭充填袋体を収容してなる炭収容竹炭が収納されている請求項３または請求項４に記載の炭収納体。
【請求項６】
煤竹からなる竹筒の芯部分を刳り貫いて形成された筒内空間が、炭収納部となっている請求項３〜請求項５のいずれかに記載の炭収納体。
【請求項７】
請求項６の炭収納体を収納する竹筒収納部と、前記竹筒収納部の内部と外部との間を通気自在とする通気孔とを備えていることを特徴とする炭収納体。
【発明の詳細な説明】
【技術分野】
【０００１】
本発明は、炭の有する効能を室内で違和感なく発揮させることができる炭充填袋体および炭収納体に関する。    
【背景技術】
【０００２】
炭は、燃料として古来より使用されてきたが、近年では、炭が有する消臭機能、調湿機能、遠赤外線やマイナスイオン発生機能などさまざまな機能を有していることが知られている。
そこで、近年では、特に上述した機能に優れた炭を冷蔵庫の中に入れたり、下駄箱の中に入れたりすることで消臭効果を狙ったり、炊飯器の釜の中に入れてご飯がおいしく炊き上がる効果を狙ったりするなど、炭を燃料以外に使用することも行われている。
【０００３】
また、従来、室内の空気を浄化するために炭を利用するときは、特開平１０−５５８０号公報に記載されているように、活性炭繊維を加工して活性炭繊維吸着体を成形し、この活性炭繊維吸着体を空気清浄器の脱臭フィルターなどの成形吸着体として利用することが多かった。
【特許文献１】特開平１０−５５８０号公報
【発明の開示】
【発明が解決しようとする課題】
【０００４】
しかし、上記活性炭繊維自身が、機械的強度が乏しく、充填密度が低いという欠点を有しているため、この活性炭繊維で形成された脱臭フィルターなどの成形吸着体もまた機械的強度が乏しく充填密度が低いという問題がある。さらに、活性炭繊維は、活性炭を繊維状に加工する必要があり、製造に手間がかかるという問題もある。
また、炭を取り扱う際に生じる炭の破砕物は、固形の炭のように燃料として使用しにくいため、より有効に利用することが求められている。
【０００５】
以上のことから、固形の炭をそのままの形態または粉砕された状態で使用することも考えられるが、冷蔵庫や下駄箱の内部と違い、室内全体の空気を従来の空気清浄器と同等またはこれ以上に清浄するためには、多量の炭を用意する必要がある。
しかし、上述したように多量の炭を用意したとしても、室内に多量の炭を固形のまま、あるいは粉砕した状態で載置しておくことは、室内の見栄えを悪くすることからも好ましくなく、特に炭の粉砕物では室内が汚くなってしまうおそれもあることから、取り扱いが非常に面倒であるという問題がある。
【０００６】
そこで、本発明は、上述した問題に鑑みてなされ、炭を繊維化したり、空調手段を設けたりすることなく、固形の炭または炭の粉砕物を利用することで炭の有する空気清浄効果などの様々な機能を発揮させることができ、しかも室内に載置しても違和感がなく、炭の粉砕物などで室内が汚れる心配のない炭充填袋体または炭収納体を提供することを目的としてなされた。  
【課題を解決するための手段】
【０００７】
このような目的を達成するために、本発明の請求項１にかかる炭充填袋体（以下、「請求項１の炭充填袋体」とのみ記す。）は、通気性を有する素材により形成された袋体の内部に炭の粉砕物が充填され、前記充填された炭の粉末物が袋体の外部へ零れださないように密封状態に封印されていることを特徴とする構成とした。
【０００８】
また、本発明の請求項２にかかる炭充填袋体（以下、「請求項２の炭充填袋体」とのみ記す。）は、請求項１の炭充填袋体の構成に加えて、炭の粉砕物が、竹炭または備長炭の少なくともいずれか一方を含んでいる構成とした。
【０００９】
また、本発明の請求項３にかかる炭収納体（以下、「請求項３の炭収納体」とのみ記す。）は、固形の炭および／または請求項１または請求項２に記載の炭充填袋体が収納されている炭収納部と、前記炭収納部の内部と外部との間を通気自在とする通気孔とを備えていることを特徴とする構成とした。
【００１０】
また、本発明の請求項４にかかる炭収納体（以下、「請求項４の炭収納体」とのみ記す。）は、請求項３の炭収納体の構成に加えて、炭が、竹炭または備長炭の少なくともいずれか一方を含んでいる構成とした。
【００１１】
また、本発明の請求項５にかかる炭収納体（以下、「請求項５の炭収納体」とのみ記す。）は、請求項３または請求項４の炭収納体の構成に加えて、炭収納部内に、竹筒形状をした竹炭の芯部分を刳り貫いて形成した空間に固形の炭および／または請求項１または請求項２に記載の炭充填袋体を収容してなる炭収容竹炭が収納されている構成とした。
【００１２】
また、本発明の請求項６にかかる炭収納体（以下、「請求項６の炭収納体」とのみ記す。）は、請求項３〜請求項５のいずれかの炭収納体の構成に加えて、煤竹からなる竹筒の芯部分を刳り貫いて形成された筒内空間が、炭収納部となっている構成とした。
【００１３】
また、本発明の請求項７にかかる炭収納体（以下、「請求項７の炭収納体」とのみ記す。）は、請求項６の炭収納体を収納する竹筒収納部と、前記竹筒収納部の内部と外部との間を通気自在とする通気孔とを備えていることを特徴とする構成とした。
【００１４】
上記構成において、本発明でいう炭とは、木炭、竹炭、セラミック炭などが挙げられるが、請求項２の炭充填袋体または請求項４の炭収納体のように、炭のなかでも多孔である竹炭または備長炭を少なくとも一部に含んでいるようにすると、より優れた吸着効果を期待することができるので好ましい。
また、袋体としては、通気性を有する素材により形成されるのであれば、不織布であっても織布であってもよく特に限定されず、袋体の形態としては、たとえば、筒状やマット状などの形態が挙げられる。このとき、マット状に形成された袋体は、格子状や短冊状に切断可能となるような仕切りを設けるようにすると、大きさを任意に調整して炭収納部へ詰めやすくなるため好ましい。
【００１５】
また、固形の炭とは、上述した炭として木炭や竹炭を使用する場合、炭化させた木材または竹材そのものの形をしていても良いし、ブロック状など他の形態に加工した形状をしていても良いが、請求項５の炭収納体のように、竹筒形状をした竹炭は、その形状から竹炭を使用しているというアピールをより強く訴える効果をもたらすことができるため好ましい。
【００１６】
また、本発明でいう炭の粉砕物とは、炭を粉砕することで得られるものに限られず、大鋸屑などを炭化させるなどして製造したものであっても構わない。また、粉砕物の大きさは、特に限定されず、粉末状をしていても粒状をしていても構わない。なお、炭の粉砕物は、上述した炭と同様に、より高温で炭化処理をした活性炭を用いると、より多くの微細孔を有した構造をしているため優れた臭いや水分などの吸着効果を期待することができるので好ましい。
【００１７】
また、固形状をした炭と、請求項１または請求項２の炭充填袋体は、炭収納部にどちらか一方だけ収納されていても良いし、両方とも収納されていても良い。
このとき、請求項５の炭収納体のように、竹筒形状をした竹炭の芯部分を刳り貫いて形成した空間に、炭収容竹炭を収納するようにすると、竹筒形状をした竹炭と同じ所要スペースを要するだけで、竹筒形状の竹炭が有する消臭・除湿などの炭特有の効果と、袋体に充填されている炭粉末が有する効果とを同時に発揮させることができるため好ましい。
【００１８】
炭収納部は、収納させた炭や炭粉末が充填された炭充填袋体を収納されるのであれば、形状や大きさなど特に限定されないが、使用する部屋の大きさに合わせてある程度多量（複数）の炭を収納できる大きさをしてことが好ましい。
また、炭収納部は、請求項６の炭収納部のように、煤竹からなる竹筒の芯部分を刳り貫いて形成された筒内空間に形成されるようにすると、煤竹からなる竹筒の見栄えの良さをそのまま生かすことができるため、室内の装飾効果をより高めることが可能となるので好ましい。
【００１９】
通気孔は、炭収納部の内部と外部との間が通気自在となっていれば、炭収納部に収納されている固形の炭や炭充填袋体の効果を発揮させることが可能であるため、形状や大きさなどは特に限定されないが、たとえば、通気孔自体に装飾を施すようにすると、より外観のデザイン性を高めることができるため好ましい。
【発明の効果】
【００２０】
本発明の請求項１にかかる炭充填袋体は、通気性を有する袋体内に炭の粉砕物が充填されているため、従来利用価値が薄かった炭の粉砕物を固形の炭と同様の効果を発揮させることが可能となるだけでなく、袋体の大きさや形状を自由に変えることにより、デザインに幅を持たせたり、箱などの炭収納体に収納容易としたりすることを任意に行うことが可能となる。
【００２１】
また、本発明にかかる請求項２にかかる炭充填袋体は、炭が、微細孔をより多く備えている竹炭または備長炭なので、必然的に外部に臨む表面積が大きくなり、その分消臭効果や除湿効果などの様々な炭の効果をより効率良く発揮させることが可能となる。
【００２２】
また、本発明の請求項３にかかる炭収納体は、炭収納部で固形の炭および／または請求項１または請求項２の炭充填袋体を収納しているとともに、炭収納部の内部と外部との間を通気自在とする通気孔を備えているため、炭または炭充填袋体を目立たずに室内に載置しておくことができるため、これら炭の効果を発揮させて、室内の消臭や除湿などを行うことが可能となる。したがって、室内の空気の浄化を望むとき、炭を繊維化したり、空調制御機能を設けたりしなくても容易に室内の空気清浄を図り、室内を快適な状態に保つことができる。
【００２３】
また、本発明の請求項４にかかる炭収納体は、炭がより多くの微細孔を備えている竹炭または備長炭なので、請求項２にかかる炭収納体と同様に、必然的に外部に臨む表面積が大きくなり、その分消臭効果や除湿効果などの様々な炭の効果をより効率良く発揮させることが可能となる。
【００２４】
また、本発明の請求項５にかかる炭収納体は、竹筒形状をしていることが外部から容易に視認可能となるため、使用している炭が竹炭であることを使用者に容易に識別させることができる。また、袋体に挿入されている炭の粉砕物として竹炭を使用しているとき、この炭の粉砕物が木炭などの他の種類の炭ではなく竹炭であることを容易に識別させることが可能となる。したがって、使用者は、竹炭であることを認識しながら安心して炭収納体を使用することができる。
【００２５】
さらに、竹筒形状の竹炭の芯部分を刳り貫いて形成した空間に、炭充填袋体を入れることで、竹炭の竹筒内という空間を有効利用することが可能となり、炭の密度が高くなるため、より効率良く炭の効果を発揮させることが可能となる。
【００２６】
また、本発明の請求項６にかかる炭収納体は、煤竹からなる竹筒の筒内空間が炭収納部となっているため、煤竹からなる竹筒を飾るのと同じような感覚で、室内に分散させて載置させても、室内の見栄えが悪くなることがない。したがって、室内の複数箇所に載置することで、炭の効能を室内均一に発揮させることが可能となる。
また、本発明にかかる請求項７の炭収納体は、請求項６の炭収納体を収納することができるため、広い室内などの空気浄化や吸湿などを大いに行うことを望むときなど、見栄えを悪くすることなく請求項６の炭収納体をまとめて集結させることが可能となる。
【発明を実施するための最良の形態】
【００２７】
以下に、本発明の実施の形態を、図面を参照しつつ詳しく説明する。
図１は、本発明にかかる炭収納体の一実施の形態を示した斜視図である。
図１に示したように炭収納体１は、竹の集成材により形成された直方体をした箱形状をしており、上部開口をしている収納体本体１０と、収納体本体１０の開口部分を覆う蓋体１１とを備えている。
【００２８】
収納体本体１０は、内部が炭収納部２となっており、周壁部分には通気孔３が形成されている。
炭収納部２は、図１に示したように、複数の竹炭４が立てられた状態で収納されており、上部開口部分から竹炭４の補充・取り出しが自由に行えるようになっている。
【００２９】
通気孔３は、収納体本体１０の内部である炭収納部２と外部との間を通気自在とするために設けられており、図１に示したように、収納体本体１０の各周壁全てに設けられている。
また、通気孔３は、図１に示したように、長手方向が収納体本体１０の周壁部分の上下方向に配置され、短手方向が、外部から収納体本体１０の内部が視認しにくい程度の幅（５ｍｍ〜２ｃｍ）をした長方形状をしており、それぞれの周壁の幅方向全体に行き渡るように複数設けられている。
竹炭４は、孟宗竹や真竹の４〜５年生の十分に肉厚のある竹を、土窯で７日間燻製乾燥した後、８００℃〜１０００℃で１０日間炭焼き過程を経て、さらに７日間の蒸らしを経て得られた良質な竹炭を使用している。
また、竹炭４は、炭収納部２内の高さと略同じ長さを有する竹筒形状をしており、図１に示したように、上下方向に立てた状態で炭収納部２に挿入されるようになっている。
【００３０】
蓋体１１は、図１に示したように、蝶番により開閉自在となるように収納体本体１０に取り付けられており、図示していないが、蓋体１１を閉じた状態では、炭収納部２に収納されている竹炭４が炭収納体１の外部から殆ど目立たなくなるようになっている。
【００３１】
以上のような構成をしている炭収納体１は、炭収納部２に多量の竹炭４を収納させて室内に載置させても見栄えが悪くならず、たとえば、消臭機能や除湿機能、さらにはマイナスイオン放出による癒し機能などの竹炭４が有する様々な効能を発揮させることができるのである。
なお、本発明にかかる炭収納体は、上記実施の形態に限定されず、竹炭４も上記過程を経て得られたものに限られない。
図２は、炭の粉砕物（以下、「炭粉末」と記す。）５０が充填された通気性を有する袋体からなる炭充填袋体（以下、「袋体」とのみ記す。）５を示した斜視図である。
【００３２】
袋体５は不織布により構成されており、通気性は有するが内部に充填している炭粉末５０がこぼれ出ないようになっている。
炭粉末５０は、竹炭を紛粒状に粉砕し、さらに熱処理を行うことにより、臭い成分や水分の吸着性能を向上させた活性炭を使用している。
上述した袋体５は、竹炭４と形状が似ているため、竹炭４の代わりに炭収納体１に収納させることができる。
【００３３】
また、袋体５は、図３に示したように、芯部分を刳り貫いた竹筒を炭化させた竹炭（以下、「竹筒炭」と記す。）６の内部に挿入して使用することも可能である。
このようにして得られた炭収容竹炭６０は、竹筒炭６の筒内の空間を有効利用することで高い炭密度を有することとなり、竹筒炭６が占有するスペースと同じ占有スペースで、竹筒炭６自身が有している炭の効能と、袋体５が有する炭の効能とを同時に発揮させることができるため、省スペースで効率良く炭の効能を発揮させることが可能となる。
【００３４】
さらに、袋体５は、図４に示したように、芯部分を刳り貫くとともに周壁部分に複数の開口７０が設けられた煤竹からなる竹筒７に挿入させて使用することもできる。
この場合、竹筒７が炭収納体としての役割を有し、この筒内部分が炭収納部となるとともに開口７０が通気孔となる。
【００３５】
竹筒７に袋体５を挿入させたものを炭収納体として使用した場合、室内に分散させて配置しても見栄えが悪くならないため、室内の全体にわたって均一に炭の有する効能を同一レベルで発揮させることが可能となる。
勿論、上記竹筒７に袋体５を挿入させたものを図１に示した収納体本体１０の炭収納部２を竹筒収納部として、収納体本体１０内に収納させて使用しても構わない。
【００３６】
さらに、上述した実施の形態は、すべて竹炭を使用していたが、木炭やセラミック炭などの竹炭以外の炭を使用しても構わない。
また、炭収納体を構成する材料も竹や竹集成材に限らず、その他の木材、樹脂材料、金属材料などを使用しても構わない。
また、本発明にかかる炭収納体に、送風手段を取り付けて、炭が有する効能をより効率良く発揮させるようにしても構わない。
【００３７】
また、炭充填袋体は、上述した袋体５の形態に限られず、たとえば、図５（ａ）〜（ｃ）に示した袋体８のように格子状の仕切りが設けられたマット形状をしていても良いし、図６に示した袋体９のように、筒状をした炭収納体９１を複数並列させてマット状に形成させても良い。
【００３８】
すなわち、袋体８は、図５(ａ)、（ｂ）、（ｃ）に示したように、高密度ポリエチレンの連続性極細繊維を素材とする不織布からなるシート（登録商標：タイベックシート、以下、「シート」とのみ記す。）８１を二枚重ねた後、格子状に圧着することで形成された正方形をした空間内に、竹炭および木炭を粉砕したもの８２が充填されている。
【００３９】
また、図５(ａ)および（ｂ）に示したように、袋体８における格子状に圧着されている部分に沿ってミシン眼８３が設けられているため、ミシン眼８３に沿って任意の大きさに切断することが容易に行えるようになっている。
したがって、袋体８は、大きさの調整を容易に行うことができ、大きさや形状の異なる炭収納体の中への収納も容易に行うことができる。
【００４０】
また、袋体９は、図６に示したように、ウレタン繊維素材により円筒形状に形成された炭収納体９１の筒内部空間に木炭と竹炭の混合炭の粉砕物９２を充填させたものを、マット状となるように一列に並列させた状態で連結することにより形成されており、連結部分に切り込みが設けられている。
このような構成をしている袋体９は、上述した袋体８と同様に大きさの調整が容易に行えるようになっている。また、炭収納部２への収納は、上述した竹炭４の収納と同じように、筒状をしている炭収納体９１が炭収納部２の上下方向に立てられるような状態で挿入させるようにすると、通気孔３の形状と合わさって、より効率良く通気性を持たせることが可能となり、炭の有する効果を発揮させやすい。
【図面の簡単な説明】
【００４１】
【図１】本発明にかかる炭収納体の１実施形態を示した斜視図である。
【図２】炭粉末が充填された袋体（炭充填袋体）の１実施形態を示した斜視図である。
【図３】本発明にかかる炭収納体に収納させる炭の一態様を示した斜視図である。
【図４】本発明にかかる炭収納体の他の実施形態を示した斜視図である。
【図５】炭粉末が充填された袋体（炭充填袋体）の他の実施形態を示した斜視図である。
【図６】炭粉末が充填された袋体（炭充填袋体）の他の実施形態を示した斜視図である。
【符号の説明】
【００４２】
１        炭収納体
１０      収納体本体
２        炭収納部
３        通気孔
４        竹炭（炭）
５        袋体（炭充填袋体）
【図１】
2005035605.tif 000003
【図２】
2005035605.tif 000004
【図３】
2005035605.tif 000005
【図４】
2005035605.tif 000006
【図５】
2005035605.tif 000007
【図６】
2005035605.tif 000008